(57)【要約】【課題】工数及び不良率を削減できる送風装置を提供する。【解決手段】送付ファン７と、送風の風向き可変する可変モータ８と、生産ライン上で動作するシーケンスを記憶する記憶部９と、を備え、前記シーケンスが所定の時期に風向きを予め決められた所定方向に向ける第１ステップを有する。【選択図】図１
2013213457.tif 000002
【特許請求の範囲】
【請求項１】
送付ファンと、送風の風向き可変する可変モータと、生産ライン上で動作するシーケンスを記憶する記憶部と、を備え、前記シーケンスが所定の時期に風向きを予め決められた所定方向に向ける第１ステップを有することを特徴とする送風装置。
【請求項２】
イオンを発生するイオン発生装置を備え、前記送風ファンの駆動によりイオンを送出することを特徴とする請求項１に記載の送風装置。
【請求項３】
前記シーケンスが第１ステップの後に前記送風ファン及び前記イオン発生装置を駆動して前記所定方向にイオンを送出する第２ステップを有することを特徴とする請求項２に記載の送風装置。
【請求項４】
設置面に設置される設置部と、前記設置部に対して回動可能に設けられるとともに前記送風ファンを配した回動部とを備え、前記送風ファンの駆動モータが前記可変モータから成るとともに前記可変モータにより前記回動部が回動して首振動作を行うことを特徴とする請求項１〜３のいずれかに記載の送風装置。
【請求項５】
前記可変モータがステッピングモータにより形成されることを特徴とする請求項１〜４に記載の送風装置。
【発明の詳細な説明】
【技術分野】
【０００１】
本発明は送風方向を可変する可変モータを備える送風装置に関する。
【背景技術】
【０００２】
特許文献１には従来の送風装置が開示されている。この送風装置は設置部、支柱及び回動部を備える。設置部は地面に設置され、前部にはユーザが操作する操作部が設けられる。
【０００３】
支柱はポール型に形成され、設置部上に立設される。回動部は左右方向に回動可能なように支柱の上端に取り付けられ、送風ファン及びイオン発生装置を備えている。送風ファンは回動部の前面に配される羽根と、羽根に連結して回動部の内部に配した駆動モータとを有している。
【０００４】
駆動モータは回動部を回動させて風向を可変する可変モータを構成し、駆動モータの駆動によって羽根が回転するとともに回動部が支柱に対して左右方向に首振動作を行う。羽根の前面は金網のガードにより覆われる。
【０００５】
イオン発生装置は回動部の上部に設置され、送風ファンに対して空気流通方向の上流側に配される。イオン発生装置には放電電極と、放電電極に水分を供給する水供給手段と、が設けられる。放電電極に高電圧を印加して放電電極に保持される水分を霧化させてイオンミストを発生させる。
【０００６】
上記構成の送風装置において、ユーザが操作部を操作すると送風装置が駆動する。送風装置が駆動すると、放電電極に高電圧が印加され、放電電極に保持される水分を霧化させてイオンミストを発生させる。また、モータの駆動により回動部は首振動作をしながら、羽根が回転してイオンミストが空気とともに送出される。
【先行技術文献】
【特許文献】
【０００７】
【特許文献１】特開２００９−１２７４６１号公報
【発明の概要】
【発明が解決しようとする課題】
【０００８】
一般に、送風装置は生産ライン上で送風装置の収納の際やイオンの送出量を検査する際に、風向きを予め決められた所定方向に向ける必要がある。この時、作業者が手動で風向きを回動させて所定方向に配置すると、作業が繁雑になるため製造工数が大きくなる問題があった。また、手動による回動部の回動時に誤った方向に力が加わると、送風装置が故障して不良率が大きくなる問題もあった。
【０００９】
本発明は、工数及び不良率を削減できる送風装置を提供することを目的とする。
【課題を解決するための手段】
【００１０】
上記目的を達成するために本発明の送風装置は、送付ファンと、送風の風向き可変する可変モータと、生産ライン上で動作するシーケンスを記憶する記憶部と、を備え、前記シーケンスが所定の時期に風向きを予め決められた所定方向に向ける第１ステップを有することを特徴とする。
【００１１】
この構成によると、生産ライン上でシーケンスが動作し、所定の時期に風向が所定方向に向けられる。
【００１２】
また本発明は、イオンを発生するイオン発生装置を備え、前記送風ファンの駆動によりイオンを送出することを特徴とする。
【００１３】
また本発明は、前記シーケンスが第１ステップの後に前記送風ファン及び前記イオン発生装置を駆動して前記所定方向にイオンを送出する第２ステップを有することを特徴とする。
【００１４】
また本発明は、設置面に設置される設置部と、前記設置部に対して回動可能に設けられるとともに前記送風ファンを配した回動部とを備え、前記送風ファンの駆動モータが前記可変モータから成るとともに前記可変モータにより前記回動部が回動して首振動作を行うことを特徴とする。
【００１５】
また本発明は、前記可変モータがステッピングモータにより形成されることを特徴とする。
【発明の効果】
【００１６】
本発明によると、シーケンスが所定の時期に風向きを予め決められた所定方向に向ける第１ステップを有するため、送風装置は生産ライン上で送風装置の収納の際やイオンの送出量を検査する際に、風向きを予め決められた所定方向に向ける。これにより、作業者が手動で風向を替える必要がなく、送風装置の工数を削減できるとともに不良率を低減することができる。
【図面の簡単な説明】
【００１７】
【図１】本発明の実施形態の送風装置を示す正面図
【図２】本発明の実施形態の送風装置を示す側面図
【図３】本発明の実施形態の送風装置を示す機能ブロック図
【図４】本発明の実施形態の送風装置のシーケンスを示すフローチャート
【図５】本発明の実施形態の送風装置のイオン測定検査を示すフローチャート
【発明を実施するための形態】
【００１８】
以下に本発明の実施形態を図面を参照して説明する。図１、図２は一実施形態の送風装置１の正面図、側面図を示している。
【００１９】
送風装置１は設置部３、支柱４及び回動部２を備える。設置部３は平面視円形に形成され、設置面に設置される。設置部３の後部には電源コード（不図示）とその先端に設けた電源プラグ（不図示）が備えられる。電源コードを介して送風装置１は商用交流電源から電力の供給を受ける。
【００２０】
設置部３には複数の操作ボタンからなる操作部６が設けられる。操作ボタンは運転ボタン、風量切替ボタン、イオン発生モードボタン及び首振ボタン（いずれも不図示）から成る。
【００２１】
運転ボタンは送風装置１の電源のＯＮ／ＯＦＦを切替える。風量切替ボタンは送風装置１の風量を調整する。イオン発生モードボタンはイオン発生装置５のＯＮ／ＯＦＦを切替える。首振ボタンは回動部２の首振動作の開始及び停止を切り替える。
【００２２】
支柱４はポール型に形成され、設置部３上に立設される。回動部２は左右方向に回動可能なように支柱４の上端に取り付けられる。回動部２にはステッピングモータにより形成されるとともに支柱４に対して回動部２を首振動作させる可変モータ８が設けられる。また、回動部２には送風ファン７及びイオン発生装置５が設けられる。
【００２３】
送風ファン７は回動部２の前面に配される羽根１１を有し、羽根１１を回転駆動する駆動モータが可変モータ８により構成される。羽根１１の前面は金網のガード１０により覆われる。
【００２４】
可変モータ８の駆動によって羽根１１が回転するとともに回動部２が矢印Ａに示すように首振動作を行い、風向が可変される。また、クラッチ（不図示）の切り替えによって回動部２の首振動作を停止して羽根１１を回転させることができる。
【００２５】
イオン発生装置５は回動部２の後部に設けられ、送風ファン７に対して空気流通方向の上流側に配される。イオン発生装置５は正イオン発生部、負イオン発生部（いずれも不図示）を備える。正イオン発生部は正放電電極（不図示）を備え、負イオン発生部は負放電電極（不図示）を備える。二対の正放電電極及び負放電電極は各々針状に形成されて所定の間隔で並べて配置される。
【００２６】
正放電電極、負放電電極に高電圧が供給されて放電を発生させてイオンを放出する。ここで、イオン発生装置５の正放電電極、負放電電極には交流波形またはインパルス波形から成る電圧が印加される。正放電電極には正電圧が印加され、コロナ放電による水素イオンが空気中の水分と結合して主としてＨ+（Ｈ2Ｏ）ｍから成る正イオンを発生する。
【００２７】
負放電電極には負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２８】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。
【００２９】
したがって、イオン発生装置５は送風ファン７の送出する空気に対して正放電電極及び負放電電極で放電により発生させた正イオン及び負イオンを含ませるように放出する。これにより、例えば室内の殺菌や脱臭を行うことができる。
【００３０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３１】
図３は送風装置１の機能ブロック図を示す。送風装置１は各部を制御する制御部１０を備えている。制御部１０には操作部６、記憶部９、イオン発生装置５、可変モータ８及び外部入力１２が接続される。
【００３２】
ユーザが操作部６から指示情報等を入力すると、イオン発生装置３０からイオンの送出の指示、可変モータ８による首振動作、送風ファン７からの送風などが行われる。記憶部９はＲＯＭやＲＡＭ等から成り、送風装置１の動作プログラムを記憶する。また、記憶部９は送風装置１の収納や検査のためのシーケンスを記憶する。
【００３３】
外部入力部１２は外部からの入力信号が入力され、シーケンスを開始する信号を受け付ける。尚、シーケンスを操作部６による特殊操作によって開始してもよい。
【００３４】
図４は送風装置１のシーケンスを示すフローチャートである。外部入力部１２からの入力によってシーケンスが開始されると、ステップＳ１では風量検査が行われる。風量検査では送風ファン７が駆動して所定の風量が送出されているか否かが検査される。
【００３５】
ステップＳ２ではイオン測定検査が行われる。図５はステップ２を詳細に示したフローチャートである。ステップＳ１１では可変モータ８が駆動する。そして、イオンの送出量を測定するイオン測定器２０（図２参照）の正面に、送風ファン７の羽根１１を向けた検査方向に回動部２が配置して停止される（第１ステップ）。即ち、イオンの送出方向がイオン測定器２０の正面に向くように回動部２が回動する。
【００３６】
これにより、ステップＳ２までの送風装置１の組み立て等によって回動部２の正面２ａが検査方向に配置されない場合でも、所定の検査方向に回動部２が配置される。
【００３７】
ステップＳ１２ではイオン発生装置５が駆動してイオン発生装置５からイオンが発生し、送風ファン７によりイオンが送出される（第２ステップ）。ステップＳ１３ではイオン測定器２０が駆動されて送風装置１から送出されるイオンの送出量を測定する。
【００３８】
ステップＳ１２では送風装置１から送出されるイオンの送出量が所定の量を満たし、検査基準を満たしているか否か判断される。検査基準を満たしていない場合はステップＳ１５へ移行する。検査基準を満たしていない場合は不良品の可能性もあるため送風装置１が回収される。一方、検査基準を満たしている場合は回動検査（ステップ３）へ移行する。
【００３９】
ステップＳ３では回動部２が左右方向に所定の角度以上首振動作を行っているか否かの回動検査が行われる。そして、回動検査の後、シーケンスによって回動部２が正面などの収納方向に向けられる。この状態で送風装置１は外箱に収納される。
【００４０】
本実施形態によると、シーケンスが所定の時期に風向きを予め決められた所定方向に向ける第１ステップを有するため、送風装置１は生産ライン上で送風装置１の収納の際やイオンの送出量を検査する際に風向きを予め決められた所定方向に向ける。これにより、作業者が手動で風向を替える必要がなく、送風装置の工数を削減できるとともに不良率を低減することができる
【００４１】
また、シーケンスが第１ステップの後に送風ファン７及びイオン発生装置５を駆動して所定方向にイオンを送出する第２ステップを有するため、イオンの送出量を正確に測定することができる。
【００４２】
また、可変モータ８により回動部２を首振動作させるため、簡単に風向を検査方向に対して向けることができる。
【００４３】
また、可変モータ８はステッピングモータにより形成されるため、正確に風向を検査方向に対して向けることができる。
【００４４】
また、送風装置１に吸込口及び吹出口（いずれも不図示）を設け、送風装置１の内部に吸込口から吹出口に連通する送風経路（不図示）を設ける構成でもよい。この時、吹出口にルーバーを設け、ルーバーを可変モータ８により風向きを変える構成であってもよい。また、送風装置１がイオンを送出するとともに冷暖房を行う空気調和器であってもよい。
【産業上の利用可能性】
【００４５】
本発明によると、送風方向を可変する可変モータを備える送風装置に利用することができる。
【符号の説明】
【００４６】
１      送風装置
２      回動部
２ａ    正面
３      設置部
４      支柱
５      イオン発生装置
６      操作部
７      送風ファン
８      可変モータ
９      記憶部
１０    ガード
１１    羽根
１２    外部入力部
２０    イオン測定器
【図１】
2013213457.tif 000003
【図２】
2013213457.tif 000004
【図３】
2013213457.tif 000005
【図４】
2013213457.tif 000006
【図５】
2013213457.tif 000007